(57)【要約】      （修正有）【課題】水栓ボックスを使用せずに、水栓接続部が壁裏から壁孔に挿入された水栓継手に対して水栓をがたつくことなく接続可能にする隙間閉塞用スペーサを提供する。【解決手段】水栓Ｖが接続される水栓接続部２１が壁表に臨むように、壁裏から、壁材Ｗに貫通して形成された壁孔Ｈ1内に挿入された状態で、壁裏に設置される水栓継手Ｃ1の水栓接続部２１に接続された延長接続管Ｐ0の外周面と壁孔Ｈ1の内周面３３との間に形成される環状隙間Ｋ1に配置される隙間閉塞用スペーサであって、隙間閉塞用スペーサは、弾性材料で全体が筒状に形成されて、内部に延長接続管Ｐ0が挿入されることで環状隙間Ｋ1に配置され、外周部には、壁孔Ｈ1の大きさの相違に対応すべく、軸方向の一端から他端に向けて外径がテーパー状に変化する環状突出部（外径調整部）４が形成された構成とする。【選択図】図４
2014190483.tif 000002
【特許請求の範囲】
【請求項１】
水栓が接続される水栓接続部が壁表側に臨むように、壁裏から、壁材に貫通して形成された壁孔内に挿入された状態で、壁裏に設置される水栓継手の当該水栓接続部の外周面と前記壁孔の内周面との間に形成される環状隙間に配置される隙間閉塞用スペーサであって、
前記隙間閉塞用スペーサは、弾性材料により全体が筒状に形成されて、
内部に前記水栓接続部が挿入されることで前記環状隙間に配置され、外周部には、前記壁孔の大きさの相違に対応すべく、軸方向の一端から他端に向けて外径がテーパー状に変化する外径調整部が形成されていることを特徴とする隙間閉塞用スペーサ。
【請求項２】
軸方向に沿った切り割りを容易にするための切割部が当該軸方向の全長に亘って形成されているか、又は軸方向の全長に亘って切り割られていることを特徴とする請求項１に記載の隙間閉塞用スペーサ。
【請求項３】
前記外径調整部は、外径の異なる分割部を軸方向に沿って複数備え、
前記複数の分割部の外周面は、軸方向の一端から他端に向けて傾斜角が非直線的に変化する変則部分円錐面に形成されて、各分割部の軸方向の他端にそれぞれ径方向に大きく突出した環状突出部が形成され、
前記各分割部の軸方向の一端には、小径側において隣接する別の分割部の環状突出部が弾性変形により傾動された際に当接して支持する当接支持部が形成されていることを特徴とする請求項１又は２に記載の隙間閉塞用スペーサ。
【請求項４】
軸方向に沿った一部を切除して、全体の長さを調整するための複数の環状凹溝が軸方向に沿って所定間隔をおいて形成されていることを特徴とする請求項１ないし３のいずれかに記載の隙間閉塞用スペーサ。
【発明の詳細な説明】
【技術分野】
【０００１】
本発明は、水栓ボックスを使用せずに、水栓接続部が壁裏から壁孔に挿入された水栓継手に対して水栓をがたつくことなく接続可能にした隙間閉塞用スペーサに関するものである。
【背景技術】
【０００２】
壁裏に配管された給水管又は給湯管と、壁表に設置される水栓とは、壁材に貫通して形成された壁孔に一部（水栓と接続される水栓接続部）が貫通される水栓継手を介して接続される（特許文献１〜３参照）。この場合において、壁裏に配置される水栓継手における水栓との接続口が壁表を向いた状態で、壁材に対して離れて配置される場合には、当該水栓継手の接続口を壁表に臨ませるべく、当該接続口に短管状の延長接続管が接続されて、当該延長接続管が前記壁孔に挿入されて、壁表に配置される水栓と接続される。
【０００３】
ここで、上記した壁孔の内径は、水栓の水栓接続部又は前記延長接続管の外径に対して大きめに形成され、しかも、水栓と給水管又は給湯管を接続した状態において、現実の配管施工においては、壁孔の中心に対して水栓の水栓接続部又は延長接続管の中心とが一致又はほぼ一致するとは限られず、むしろずれて配管される場合の方が多い。更に、壁材に形成された壁孔の大きさ（内径）が対応する水栓に対して大きく形成されてしまう場合もある。
【０００４】
この結果、壁孔に挿入された水栓の水栓接続部又は延長接続管の外周面と、当該壁孔の内周面との間には、不可避的に隙間が形成される。この隙間の存在により、使用時において水栓に作用する負荷は、壁裏の構造物と水栓継手との固定部に集中して作用し、水栓自体が、がたついてしまう。
【０００５】
上記がたつきを回避するために、水栓ボックスと称される水栓継手を収容する専用部材が使用され、当該水栓ボックスのボックス本体に突出して設けられた短管状の固定リング螺着筒が壁裏から壁孔に嵌入され、当該固定リング螺着筒の内側に壁表から固定リングを螺着することで、当該固定リング及び前記壁孔の双方に挿入される水栓継手の水栓接続部が、がたつくのを防止している。
【先行技術文献】
【特許文献】
【０００６】
【特許文献１】特許第２７５３２８７号公報
【特許文献２】特許第３５６０８７３号公報
【特許文献３】特許第３６１６２２６号公報
【発明の概要】
【発明が解決しようとする課題】
【０００７】
本発明は、水栓ボックスを使用せずに、水栓接続部が壁裏から壁孔に挿入された水栓継手に対して水栓をがたつくことなく接続可能にすることを課題としている。
【課題を解決するための手段】
【０００８】
上記課題を解決するための請求項１の発明は、水栓が接続される水栓接続部が壁表に臨むように、壁裏から、壁材に貫通して形成された壁孔内に挿入された状態で、壁裏に設置される水栓継手の当該水栓接続部の外周面と前記壁孔の内周面との間に形成される環状隙間に配置される隙間閉塞用スペーサであって、前記隙間閉塞用スペーサは、弾性材料で全体が筒状に形成されて、内部に前記水栓接続部が挿入されることで前記環状隙間に配置され、外周部には、前記壁孔の大きさの相違に対応すべく、軸方向の一端から他端に向けて外径がテーパー状に変化する外径調整部が形成されていることを特徴としている。
【０００９】
請求項１の発明によれば、壁裏に配置された水栓継手の水栓接続部が、壁材に形成された壁孔に壁裏から挿入された状態では、壁孔の内周面と前記水栓接続部の外周面との間には、所定の隙間が形成される。この状態で、壁表において筒状のスペーサを小径側から前記環状隙間に圧入することで、相対的にスペーサの内部に水栓継手の水栓接続部が挿入されて、スペーサの外径調整部のうち壁孔の内径よりも外径が大きな部分は、当該壁孔の内周面に対応するように弾性変形される。これにより、当該壁孔にスペーサが圧入されて、前記環状隙間が閉塞される。また、外径調整部は、スペーサの軸方向に沿って外径がテーパー状に変化しているため、大きさ（内径）の異なる複数の壁孔に対して使用可能である。この結果、水栓継手の水栓接続部は、壁孔内に配置されて、水栓継手の接続口に接続された水栓に負荷が作用しても、当該水栓はがたつかなくなる。
【００１０】
一方、壁孔の内径がスペーサの最大外径よりも大きい場合においては、壁孔に対して水栓継手の水栓接続部が壁裏から挿入された後に、壁表から前記環状隙間にスペーサを挿入すると、当該環状隙間の一部がスペーサにより閉塞されて、残りの環状空間が小さくなる。よって、水栓に対する負荷の一部は、前記スペーサに作用するため、当該負荷により水栓ががたつくことはあっても、その程度は、大幅に低下させられる。
【００１１】
請求項２の発明は、請求項１の発明において、軸方向に沿った切り割りを容易にするための切割部が当該軸方向の全長に亘って形成されているか、或いは軸方向の全長に亘って切り割られていることを特徴としている。
【００１２】
請求項２の発明によれば、切割部によりスペーサを軸方向に沿って切り割ることで、又は予めスペーサが軸方向に沿って切り割られていることで、当該スペーサの内径を大きくできて、水栓継手の水栓接続部の外径の変化に対応させられると共に、壁孔に対して水栓継手の水栓接続部が偏芯されて配置された場合において、スペーサの切り割りにより周方向の一部に発生した開口部を環状隙間の狭い側に配置することで、壁孔に対する水栓継手の水栓接続部の偏芯配置に対しても対応可能となる。
【００１３】
請求項３の発明は、請求項１又は２の発明において、前記外径調整部は、外径の異なる分割部を軸方向に沿って複数備え、前記複数の分割部の外周面は、軸方向の一端から他端に向けて傾斜角が非直線的に変化する変則部分円錐面に形成されて、各分割部の軸方向の他端にそれぞれ径方向に大きく突出した環状突出部が形成され、前記各分割部の軸方向の一端には、小径側において隣接する別の分割部の環状突出部が弾性変形により傾動された際に当接して支持する当接支持部が形成されていることを特徴としている。
【００１４】
請求項３の発明によれば、外径の異なる複数の分割部が、スペーサの軸方向に沿って複数形成されて、各分割部の軸方向の他端には、それぞれ径方向に大きく突出した環状突出部が独立して形成されているため、壁孔の内径よりも小さな環状突出部は、変形されずに、当該壁孔よりも大きな環状突出部のみが弾性変形されて壁孔の内周面に弾接することで、壁孔に対してスペーサが支持された状態となって配置される。各分割部の外周面は、軸方向の一端から他端に向けて傾斜角が非直線的に変化する変則部分円錐面に形成されていて、各分割部の軸方向に沿った他端には、それぞれ径方向に大きく突出した環状突出部が形成されているため、当該環状突出部は、壁孔に対するスペーサの挿入方向と逆方向に傾動されて、大径側において隣接する別の分割部の当接支持部に当接して支持されるので、環状突出部の傾動状態が安定化する。その結果、壁孔に対するスペーサの支持状態が安定化する。
【００１５】
請求項４の発明は、請求項１ないし３のいずれかの発明において、軸方向に沿った一部を切除して、全体の長さを調整するための複数の環状凹溝が軸方向に沿って所定間隔をおいて形成されていることを特徴としている。
【００１６】
請求項４の発明によれば、壁孔に対してスペーサを圧入して環状隙間に配置させる際に、軸方向に沿った一部が不要な場合、又は壁表の水栓を構成する部材と干渉する場合には、当該不要部又は干渉部を環状凹溝の部分で切除して、スペーサを短くして使用する。
【発明の効果】
【００１７】
本発明によれば、スペーサの外径調整部のうち壁孔の内径よりも外径が大きな部分は、当該壁孔の内周面に対応するように弾性変形されることで、当該壁孔にスペーサが圧入されて、前記環状隙間が閉塞される。また、外径調整部は、スペーサの軸方向に沿って外径がテーパー状に変化しているため、大きさ（内径）の異なる複数の壁孔に対して使用可能である。この結果、水栓継手の水栓接続部は、壁孔内に配置されて、水栓継手の接続口に接続された水栓に負荷が作用しても、当該水栓はがたつかなくなる。
【図面の簡単な説明】
【００１８】
【図１】（ａ），（ｂ）は、それぞれ実施例１のスペーサＳ1 を異なる方向から見た斜視図である。
【図２】（ａ）は、スペーサＳ1 の正面図、（ｂ）は、（ａ）のＸ1 −Ｘ1 線断面図、（ｃ）は、（ｂ）のＸ2 −Ｘ2 線断面図、（ｄ）は、（ａ）のＹ−Ｙ線断面図である。
【図３】壁孔Ｈ1 の環状隙間Ｋ1 にスペーサＳ1 が挿入配置された状態の斜視図である。
【図４】同じく断面図である。
【図５】（ａ），（ｂ）は、壁孔Ｈ1 の環状隙間Ｋ1 に対してスペーサＳ1 を挿入する前後の断面図である。
【図６】スペーサＳ1 の環状突出部４の変形後の拡大断面図である。
【図７】（ａ）〜（ｃ）は、それぞれ大きさ（内径）の異なる壁孔Ｈ1 〜Ｈ3 にスペーサＳ1 が挿入配置された状態の断面図である。
【図８】（ａ）は、スペーサＳ1 が環状凹溝１で切断されて全長が短くなった状態を示す斜視図であり、（ｂ）は、スペーサＳ1 が第１切割部９で切り割られて、中空部７’の内径が大きくなった状態を示す斜視図である。
【図９】（ａ）は、第１切割部９で切り割られたスペーサＳ1 の使用状態の断面図であり、（ｂ）は、この状態を壁表から見た図である。
【図１０】第１切割部９で切り割られたスペーサＳ1 の使用状態の斜視図である。
【図１１】（ａ）は、壁孔Ｈ1'に対して水栓継手Ｃ2 の水栓接続部２８が偏芯して挿入された状態において、第１切割部９で切り割られたスペーサＳ1 の使用状態の断面図であり、（ｂ）は、この状態を壁表から見た図である。
【図１２】壁孔Ｈ5 に直接に挿入された水栓継手Ｃ1 の水栓接続部２１と、当該壁孔Ｈ5 の内周面３３とで形成される環状隙間Ｋ5 をスペーサＳ1 で閉塞した状態の斜視図である。
【図１３】（ａ），（ｂ），（ｃ）は、それぞれ同様の状態の平面断面図、側面断面図及び正面図である。
【図１４】（ａ），（ｂ），（ｃ）は、実施例２のスペーサＳ2 の斜視図、平面図及び使用状態の横断面図である。
【図１５】（ａ），（ｂ），（ｃ）は、実施例３のスペーサＳ3 の斜視図、平面図及び使用状態の部分拡大縦断面図である。
【図１６】（ａ），（ｂ）は、それぞれ実施例４のスペーサＳ4 の斜視図、及び延長接続管Ｐ0 の外側にスペーサＳ4 が嵌め込まれた状態の横断面図である。
【図１７】（ａ），（ｂ），（ｃ）は、実施例５のスペーサＳ5 の平面図、巻回した使用状態の斜視図及び使用状態の断面図である。
【発明を実施するための形態】
【００１９】
以下、複数の実施例を挙げて、本発明を更に詳細に説明する。
【実施例１】
【００２０】
最初に、図１〜図７を参照して、本発明の実施例１のスペーサＳ1 について説明する。スペーサＳ1 は、図１及び図２に示されるように、ゴム材、熱可塑性エラストマー等の弾性材料により全体が円筒状に形成されて、軸方向に一定間隔をおいて周方向に形成された複数の環状凹溝１を介して当該環状凹溝１の数よりも「１」だけ多い複数の分割部２に分割されている。各分割部２の外径は、スペーサＳ1 の軸方向の一端から他端に向けて漸次変化している。図２（ｃ），（ｄ）においては、各分割部２の外径は、スペーサＳ1 の軸方向に沿って、右端から左端に向けて段階的に大きくなっている。また、各分割部２の外周面は、軸方向の一端から他端に向けて外径が徐々に変化した後に、急激に変化する変則部分円錐面３に形成され、分割部２における外径が急激に変化している部分は、径方向に大きく突出して、壁孔Ｈ1 に対する圧入時において、大径側に隣接する別の分割部２の側に弾性変形して傾動可能な環状突出部４となっていると共に、分割部２における外径が徐々に変化する部分は、小径側において隣接する別の分割部２の環状突出部４が傾動した際に当接して支持する当接支持部５（図６参照）となっている。即ち、各分割部２の外周面の変則部分円錐面３は、軸方向の一端から他端に向けて傾斜角が非直線的に変化していて、大径側の端部において大きく径方向に突出している。実施例１のスペーサＳ1 では、各分割部２の外周側の変則部分円錐面３の部分が、壁孔Ｈ1 〜Ｈ3 の異なる内径ｄ1 〜ｄ3 に対応して、スペーサＳ1 の外径を調整する外径調整部となっている。
【００２１】
また、スペーサＳ1 の内周部には、スプライン状の支持突条６が周方向に一定間隔をおいて軸方向の全長に亘って形成されていて、各支持突条６の内周面は、全長に亘って後述の水栓継手Ｃ1 の延長された水栓接続部である延長接続管Ｐ0 の外径に対応する円の周上に配置されていて〔図２（ｃ）参照〕、スペーサＳ1 の中空部７に前記延長接続管Ｐ0 を挿入した状態において、当該延長接続管Ｐ0 に対してスペーサＳ1 の内周面は、全長に亘って各支持突条６の当接支持面に当接することで、安定して支持される構造になっている。一方、スペーサＳ1 における前記支持突条６を除く部分は、当該支持突条６に比較して薄肉に形成されたテーパー円筒部８となっていて、当該テーパー円筒部８の肉厚（Ｔ）は、軸方向に沿って一定しているため、スペーサＳ1 における前記テーパー円筒部８の内周面は、縦断面視で軸方向に沿って傾斜している〔図２（ｃ），（ｄ）参照〕。
【００２２】
また、スペーサＳ1 には、対応する水栓の水栓接続部よりも大きな水栓の水栓接続部に対応可能にすべく、当該スペーサＳ1 の軸方向に沿った切断を容易にするための深溝状の第１切割部９が外周面に開口した状態で軸方向の全長に亘って形成されている。深溝状の第１切割部９の深さは、各分割部２の肉厚が小径側から大径側に向けて徐々に厚くなっていることに対応して、スペーサＳ1 の軸方向の一端の小径側から他端の大径側に向けて漸次深くなっていて、当該第１切割部９が設けられた部分の肉厚は、テーパー円筒部８の肉厚Ｔよりも僅かに厚く形成されて、前記第１切割部９は、テーパー円筒部８の肉厚の部分まで形成されていて、切り割りを容易にしている。即ち、スペーサＳ1 を第１切割部９で切り割って、横断面視で周方向の一部に開口部２９〔図８（ｂ）参照〕を形成することで、当該開口部２９が形成されたスペーサＳ1 の中空部７’の内径は、当該開口部２９を有しない本来のスペーサＳ1 の中空部７の内径よりも大きくなって、スペーサＳ1 が対応する本来の水栓よりもサイズの大きな別の水栓に対して対応可能となる（別の水栓の水栓接続部の外側にスペーサＳ1 を嵌め込むことができる）。
【００２３】
また、スペーサＳ1 における前記第１切割部９に対して周方向に沿って位相が１８０°異なる部分、即ち、当該第１切割部９と対向する部分には、前記第１切割部９と同様の外周面に開口した第２切割部１１が、当該スペーサＳ1 の小径側の一端から軸方向に沿った中間の部分まで形成されている。第２切割部１１の主たる機能は、壁孔Ｈ1 に挿入された水栓接続部、或いは水栓接続部としての機能を果す後述の延長接続管Ｐ0 の外周面と、当該壁孔Ｈ1 の内周面３３とで形成される環状隙間Ｋ1 （図５参照）にスペーサＳ1 を圧入させる際に、当該スペーサＳ1 の小径側の部分を拡開させて、水栓の水栓接続部或いは延長接続管Ｐ0 の外側に対するスペーサＳ1 の嵌め込みを容易にすることであり、他の機能については、後述する。
【００２４】
次に、図３〜図７を参照して、壁材Ｗに形成された壁孔Ｈ1 に、水栓継手Ｃ1 を構成する延長接続管Ｐ0 が挿入された状態において、当該延長接続管Ｐ0 の外周面と壁孔Ｈ1 の内周面３３との間に形成される環状隙間Ｋ1 に、上記したスペーサＳ1 を挿入して、当該環状隙間Ｋ1 を閉塞する構造について説明する。図３及び図４に示されるように、Ｌ字状をした水栓継手Ｃ1 は、壁材Ｗの壁裏に配置されて、Ｌ字状のブラケット３１を介して横材３２に固定される。本配管例では、壁材Ｗに対して横材３２が所定距離だけ離れて配置されているため、水栓継手Ｃ1 の水栓接続部２１を壁孔Ｈ1 に直接に挿入できない。このため、水栓継手Ｃ1 の水栓接続部２１に短直管状の延長接続管Ｐ0 を接続して、当該延長接続管Ｐ0 の先端部が壁裏から壁孔Ｈ1 に挿入され、壁表において当該延長接続管Ｐ0 に水栓Ｖが接続される。延長接続管Ｐ0 の一端部には、壁孔Ｈ1 に挿入される一般部２２よりも僅かに小径の雄螺子部２３が設けられ、当該雄螺子部２３が、水栓継手Ｃ1 の水栓接続部２１の内周面に形成された雌螺子部２４に螺合されている。また、延長接続管Ｐ0 の先端部には、水栓継手Ｃ1 の水栓接続部２１に形成された雌螺子部２４と同一内径の雌螺子部２５が形成されているため、延長接続管Ｐ0 の使用により、水栓継手Ｃ1 は、当該延長接続管Ｐ0 の一般部２２の長さだけ、壁表に向けて延長されることになって、水栓継手Ｃ1 の水栓接続部２１と同等機能を果す延長接続管Ｐ0 の先端部を壁孔Ｈ1 に挿入可能となる。
【００２５】
次に、水栓継手Ｃ1 及び当該水栓継手Ｃ1 に接続される延長接続管Ｐ0 を使用して、壁裏に配管された給水管Ｐ1 に対して壁表において水栓Ｖを接続する配管施工について説明する。まず、水栓継手Ｃ1 に接続される水栓Ｖが設定予定位置に配置されるように、壁裏において、当該水栓継手Ｃ1 を壁裏予定位置に設置されている横材３２にブラケット３１を介して固定し、その後に、横材３２の配置位置、給水管Ｐ1 の呼径、水栓継手Ｃ1 のサイズ等の設計図類に記載の既知事項に基づいて算出された位置に、前記既知事項に基づいて算出された内径ｄ1 の壁孔Ｈ1 を穿孔した壁材Ｗを立設させる。その後に、壁表から壁孔Ｈ1 を貫通させて、水栓継手Ｃ1 の水栓接続部２１に延長接続管Ｐ0 を接続させて、延長接続管Ｐ0 の雌螺子部２５と水栓継手Ｃ1 の雌螺子部２４とが同心となって、水栓継手Ｃ1 の水栓接続部２１が延長接続管Ｐ0 の一般部２２の長さだけ壁表側に延長される。なお、延長接続管Ｐ0 は、壁材Ｗの立設前に、水栓継手Ｃ1 に接続されて施工してもよい。本配管例では、延長接続管Ｐ0 の先端部は、所定長だけ壁表に突出している。
【００２６】
上記したように、壁材Ｗを立設する前に、横材３２に対する水栓継手Ｃ1 の固定、水栓継手Ｃ1 に対する給水管Ｐ1 の接続等を済ませておくために、壁材Ｗに穿孔される壁孔Ｈ1 の内径ｄ1 は、水栓継手Ｃ1 の水栓接続部２１（又は延長接続管Ｐ0 ）の外径よりも大きくしないと、壁孔Ｈ1 と水栓継手Ｃ1 の水栓接続部２１（又は延長接続管Ｐ0 ）とが干渉して、壁孔Ｈ1 と水栓継手Ｃ1 の水栓接続部２１（又は延長接続管Ｐ0 ）を挿入できないことが発生する。現実の配管施工では、壁孔Ｈ1 の軸心Ｊ1 に対して水栓継手Ｃ1 の水栓接続部２１（又は延長接続管Ｐ0 ）の軸心がずれることの方が多いため、壁孔Ｈ1 の内径ｄ1 を水栓継手Ｃ1 の水栓接続部２１（又は延長接続管Ｐ0 ）の外径Ｄ1 よりも大きくしてある。その結果として、壁孔Ｈ1 の内周面３３と、水栓継手Ｃ1 の水栓接続部２１（又は延長接続管Ｐ0 ）の外周面との間に不可避的に環状隙間Ｋ1 が発生し、水栓Ｖのがたつき防止のために、当該環状隙間Ｋ1 を閉塞する必要が生ずる。
【００２７】
その後に、図５に示されるように、必要に応じてスペーサＳ1 の第２切割部１１の部分において、当該スペーサＳ1 の小径側の部分を切り割って拡開しておき、この状態で、壁表において、延長接続管Ｐ0 の先端部から、その外側にスペーサＳ1 を嵌め込むことにより、相対的に当該スペーサＳ1 の中空部７に延長接続管Ｐ0 の先端部が挿入される。これにより、延長接続管Ｐ0 の外周面と壁孔Ｈ1 の内周面３３とで形成される環状隙間Ｋ1 がスペーサＳ1 により閉塞される。内径ｄ1 の壁孔Ｈ1 の場合には、図６に詳細に図示されているように、中央の２つの環状突出部４のみが、壁孔Ｈ1 の内周面３３に弾接することで大径側に隣接する別の分割部２の側に弾性変形により傾動されて、大径側に隣接する別の分割部２の当接支持部５に当接して支持される。このため、壁孔Ｈ1 に対するスペーサＳ1 の支持力も大きくなって、容易にはずれなくなる。このため、水栓Ｖに負荷が加わった場合、当該負荷の一部は、負荷作用部から最も近いスペーサＳ1 に作用して、水栓Ｖのがたつきを効果的に防止できる。なお、図３及び図４において、３４は、Ｌ字形の水栓継手Ｃ1 における給水管Ｐ1 と接続される管接続部を示す。
【００２８】
その後に、壁表において、延長接続管Ｐ0 の先端部の内周面に形成された雌螺子部２５に水栓Ｖの雄螺子部２６を螺合させると、延長接続管Ｐ0 に対して水栓Ｖが接続される。水栓Ｖの雄螺子部２６には、化粧リング２７が螺合されて、壁材Ｗの表面に密着される。延長接続管Ｐ0 の先端部及びスペーサＳ1 の大径側の一部は、壁表に突出しているが、これらの突出部分の全ては、化粧リング２７と壁表面とで形成される空間に収容されて外側からは視認できなくなって、外観が良好となる。
【００２９】
図７は、壁材Ｗにあけられる壁孔Ｈ1 〜Ｈ3 の内径ｄ1 〜ｄ3 によって、当該壁孔Ｈ1 〜Ｈ3 に挿入されるスペーサＳ1 の長さが異なることで、壁孔の内径が所定の範囲内であれば、同一のスペーサＳ1 により当該壁孔Ｈ1 〜Ｈ3 の環状隙間Ｋ1 〜Ｋ3 を閉塞可能であることを示している。なお、スペーサＳ1 に対応する壁孔Ｈ1 の内径は、（ｄ1)であって各壁孔Ｈ1 〜Ｈ3 の内径ｄ1 〜ｄ3 は、（ｄ3 ＞ｄ1 ＞ｄ2 ）の関係を有している。即ち、壁孔Ｈ1(Ｈ2,Ｈ3)の内径ｄ1(ｄ2,ｄ3)が小さい程、環状隙間Ｋ1(Ｋ2,Ｋ3)が小さくなって、壁孔Ｈ1(Ｈ2,Ｈ3)に対するスペーサＳ1 の挿入長は短くなるが、複数の環状突出部４のうち、壁孔Ｈ1(Ｈ2,Ｈ3)の内径に対応したいずれかが、その内周面３３に弾接することで、壁孔Ｈ1(Ｈ2,Ｈ3)に対してスペーサＳ1 が保持された状態で、環状隙間Ｋ1(Ｋ2,Ｋ3)が閉塞される。また、図 7（ａ）は、壁孔Ｈ2 の内径が、スペーサＳ1 の対応する壁孔Ｈ1 の内径ｄ1 よりも小さいために、壁孔Ｈ2 に対するスペーサＳ1 の挿入長が短くて、その大径側の未挿入部が前記化粧リング２７と干渉してしまうため、図８（ａ）に示されるように、大径側の２つの分割部２を環状凹溝１の部分で切断して、全長を半減させた例である。なお、図８（ａ）において、Ｓ1'は、切除された側のスペーサを示す。
【００３０】
また、スペーサＳ1 は、図８（ｂ）で示されるように、第１切割部９で切り割って、中空部７’の内径を大きくすることで、対応する外径Ｄ1 （図６参照）の延長接続管（水栓接続部）Ｐ0 よりも大きな外径（Ｄ2)の水栓接続部に対応可能である。即ち、図９及び図１０に示されるように、外径（Ｄ2)の水栓接続部２８を備えた水栓継手Ｃ2 において、当該水栓接続部２８が壁孔Ｈ4 と同心状態で挿入された状態において、壁表から、第１切割部９で切り割られたスペーサＳ1 を壁孔Ｈ1 の環状隙間Ｋ4 に挿入すると、当該スペーサＳ1 は、水栓接続部２８の外径（Ｄ2)に対応した量だけ切割部分が拡開されることで、中空部７’の内径が大きくなって、対応外径（Ｄ1)よりも大きな外径（Ｄ2)の水栓接続部２８の外周面に嵌め込まれると共に、複数の環状突出部４が壁孔Ｈ4 の内周面に弾性変形して密着する。これにより、周方向の一部にスペーサＳ1 が存在しない開口部２９が発生することで、壁孔Ｈ4 の環状隙間Ｋ1 の周方向の一部が未閉塞のままであるが、当該スペーサＳ1 は、壁孔Ｈ4 の内周面３３に抜け出ることなく保持される。また、軸方向に沿った切り割りを容易にするための第１切割部９の部分で切り割って開口部２９を形成することなく、予め切り割られた構造にしておいてもよい。なお、開口部２９が壁孔Ｈ4 の上部に配置されるように、当該壁孔Ｈ4 の環状隙間Ｋ1'に対して周方向の一部に開口部２９を有するスペーサＳ1 を圧入すると、当該スペーサＳ1 に対して負荷を作用する部分の全ては、壁孔Ｈ4 の内周面に密着しているため、当該水栓Ｖのがたつきを一層効果的に防止できる。
【００３１】
図１１には、壁孔Ｈ4 に対して水栓継手Ｃ2 の水栓接続部２８が偏芯して挿入された状態において、第１切割部９で切り割られたスペーサＳ1 により、環状隙間Ｋ4 が閉塞される構造を示している。なお、図１１（ｂ）において、Ｊ1 ，Ｊ2 は、それぞれ壁孔Ｈ4 及び水栓継手Ｃ2 の水栓接続部２８の中心（軸心）を示す。水栓継手Ｃ2 の水栓接続部２８の外径は（Ｄ2 ）〔＞Ｄ1 〕であるため、スペーサＳ1 は、第１切割部９で切り割られて、周方向の一部に中空部７’が形成された状態で、水栓継手Ｃ2 の水栓接続部２８の外側に嵌め込まれて、環状隙間Ｋ1'が閉塞されている。即ち、水栓継手Ｃ2 の水栓接続部２８は、壁孔Ｈ4 に対して偏芯配置されて、壁孔Ｈ4 を中心Ｊ1 で上下に二分した場合において、スペーサＳ1 の環状突出部４の変形量は、下半分の方が上半分よりも大きくなった状態で、環状隙間Ｋ4 が閉塞されている。そして、上記した偏芯量が一定量を超えて大きくなると、スペーサＳ1 の周方向の一部に開口部２９を形成しないと、壁孔Ｈ4 の環状隙間Ｋ4 にスペーサＳ1 を圧入できなくなり、この場合において、当該開口部２９が有効に作用する。
【００３２】
また、上記配管例では、水栓継手Ｃ1 が壁裏において壁材Ｗから離間して配置されるために、水栓接続部２１を壁孔Ｈ1 の部分まで到達させるために延長接続管Ｐ0 を使用しているが、図１２及び図１３に示される配管例では、横材３２が壁材Ｗの裏面に接した状態で配置されているため、水栓継手Ｃ1 の水栓接続部２１を壁孔Ｈ5 に直接に挿入できる構造である。Ｌ字形の水栓継手Ｃ1 は、水栓接続部２１と管接続部３４とを備え、Ｌ字形のブラケット３１を介して周辺の部材に固定され、図４に示されるように、ブラケット３１の一方の板部３１ａは、複数のボルト３５を介して水栓継手Ｃ1 の背面側に固定され、他方の板部３１ｂは、同じく複数本のボルト３６を介して横材３２に固定される。ブラケット３１の板部３１ｂの先端部は、水栓接続部２１の基端部まで達していて、当該基端部に設けられた３つの突起部３７ａ，３７ｂ，３７ｃのいずれかに当接させて、水栓継手Ｃ1 の固定状態を安定化させている。図３及び図１１の配管例では、給水管Ｐ1 が垂直配管されるため、ブラケット３１の板部３１ｂは、いずれも水栓接続部２１の上面部に設けられた突起部３７ａに当接している。残りの２つの突起部３７ｂ，３７ｃは、水栓接続部２１の両側面部に対向して形成されて、給水管Ｐ1 が水平配管される場合において、ブラケット３１の板部３１ｂを当接させるのに使用される。このため、計３つの突起部３７ａ，３７ｂ，３７ｃは、水栓継手Ｃ1 の水栓接続部２１の基端部の外周面に互いに位相が９０°だけずれて配置されている。
【００３３】
そして、水栓継手Ｃ1 の水栓接続部２１が壁孔Ｈ5 に挿入されて、当該水栓接続部２１の外周面と壁孔Ｈ5 の内周面３３とで形成された環状隙間Ｋ5 をスペーサＳ1 で閉塞するには、以下のようにして行う。即ち、スペーサＳ1 を第１切割部９の部分で切り割って、中空部７’の内径を大きくすると共に、第２切割部１１を切り割って、当該第２切割部１１の側を上方に向けた状態で、当該スペーサＳ1 を壁表から前記水栓継手Ｃ1 の水栓接続部２１の外側に嵌め込むと、スペーサＳ1 の開口部２９を除く部分において、環状突出部４が弾性変形により壁表の側に傾動されて、壁孔Ｈ5 の内周面３３に弾接することで、前記環状隙間Ｋ5 が閉塞される。
【００３４】
環状隙間Ｋ5 を閉塞しているスペーサＳ1 の奥側の小径部においては、図１２及び図１３に詳細に図示されているように、スペーサＳ1 における第２切割部１１で切り割られた部分は、水栓継手Ｃ1 の水栓接続部２１とブラケット３１の板部３１ｂとの隙間が入り込んだ状態で、当該水栓接続部２１の上部に設けられた突起部３７ａにより両側に押し拡げられて、当該突起部３７ａを両側から挟んだ状態に配置される。また、スペーサＳ1 の奥側の小径部における各突起部３７ｂ，３７ｃの部分においては、当該各突起部３７ｂ，３７ｃに乗り上げた状態となって配置される。
【実施例２】
【００３５】
次に、図１４を参照して、実施例２のスペーサＳ2 について、上記したスペーサＳ1 と異なる部分についてのみ説明する。実施例２のスペーサＳ2 は、前記スペーサＳ1 に対してテーパー円筒部８’の外周面に形成された傾斜突条部４１の形状のみが異なる。即ち、テーパー円筒部８’の外周面には、複数本の傾斜突条部４１が周方向に一定間隔をおいてスペーサＳ2 の軸心Ｊ1 に対して角度（θ）だけ傾斜して一体に設けられている。傾斜突条部４１の突出長は、全長に亘って一定であるが、当該傾斜突条部４１が一体に設けられているテーパー円筒部８’の外径が軸方向に沿ってテーパー状に変化しているため、傾斜突状部４１の先端部の外径は、軸方向に沿った一端から他端に向けて直線的に変化している。実施例２では、複数本の傾斜突条部４１が外径調整部を構成している。
【００３６】
このため、壁孔Ｈ1 に挿入された水栓継手Ｃ1 の延長接続管Ｐ0 の外周面と、当該壁孔Ｈ1 の内周面との間の環状隙間Ｋ1 に壁表からスペーサＳ2 を圧入すると、傾斜突条部４１がスペーサＳ2 の軸心Ｊ1 に対して傾斜しているため、当該傾斜突条部４１の先端部が常に一方側に傾動されて、壁孔Ｈ1 の内径ｄ1 に対応した長さだけスペーサＳ2 が当該壁孔Ｈ1 に挿入された状態で、当該壁孔Ｈ1 の内周面３３に密着する。
【００３７】
また、隣接する傾斜突条部４１の間はテーパー円筒部８のみが存在しているため、スペーサＳ2 の周方向の一部に開口部を形成して、対応外径よりも大きな外径の水栓継手の水栓接続部に嵌め込むためには、隣接する傾斜突条部４１の間のテーパー円筒部８を当該傾斜突条部４１に沿って切断すればよい。当該切断は、テーパー円筒部８が薄肉構造であるため容易である。
【実施例３】
【００３８】
次に、図１５を参照して、実施例３のスペーサＳ3 について、実施例２のスペーサＳ2 は、軸心Ｊ1 に対して傾斜した状態でテーパー円筒部８’の外周に一体に設けられた複数の傾斜突条部４１が外径調整部を構成しているのに対して、実施例３のスペーサＳ3 は、テーパー円筒部８”の外側に、当該テーパー円筒部８”の小径側から大径側に向けて高さが徐々に高くなった断面三角形状の山部４２ａを有する螺旋突条部４２が一体に設けられた構成である。スペーサＳ3 では、螺旋突条部４２が外径調整部を構成している。また、スペーサＳ3 には、スペーサＳ1 と同様に、第１及び第２の各切割部９，１１が設けられている。
【実施例４】
【００３９】
図１６に示される実施例４のスペーサＳ4 は、実施例１のスペーサＳ1 において、水栓継手Ｃ1 の延長接続管Ｐ0 又は水栓接続部２１に嵌め込まれる中空部７”の断面形状が異なるのみである。即ち、実施例１のスペーサＳ1 では、中空部７には、前記延長接続管Ｐ0 又は水栓接続部２１の外側に嵌め込まれるスプライン状の複数本の支持突条６が周方向に一定間隔をおいて設けられている。これに対して実施例４のスペーサＳ4 では、中空部７”の横断面形状を正八角形にして、延長接続管Ｐ0 又は水栓接続部２１に対する嵌め込みを容易にしてある。
【実施例５】
【００４０】
また、実施例１〜４のスペーサＳ1 〜Ｓ4 は、いずれも筒状に形成されているが、図１７に示されるようにスペーサＳ5 のように、板状のものを巻回させて筒状を形成する構成であってもよい。即ち、板状のスペーサＳ5'の原形状は、図１７（ａ）に示されるように、細長比の大きな長方形の板状であって、その肉厚は、短辺の方向に沿って漸次変化する形状である。板状のスペーサＳ5'を巻回させた円筒状のスペーサＳ5 では、その外径が軸方向に沿ってテーパー状に変化している外周部が外径調整部となっている。スペーサＳ5 は、原形状が板状であるために、水栓継手の水栓接続部の異なる外径に対応した巻回状態を実現できて、水栓接続部の外径の異なる水栓継手に対応できる利点がある。
【００４１】
上記したように、本発明に係るスペーサの複数の実施例１〜５を挙げて、スペーサの外周部に設けられる「外径調整部」の種々の態様について説明したが、他の「外径調整部」に関しては、請求項１に記載のように、「軸方向の一端から他端に向けて外径がテーパー状に変化した形状」であれば、上記した実施例１〜５以外の形状であってもよい。
【符号の説明】
【００４２】
Ｈ1 〜Ｈ5 ：壁孔
Ｋ1 〜Ｋ5 ：環状隙間
Ｓ1 〜Ｓ5 ：スペーサ
Ｖ：水栓
Ｗ：壁材
１：環状凹溝
２：分割部
３：変則部分円錐面（外径調整部）
４：環状突出部（外径調整部）
５：当接支持部
９：第１切割部（切割部）
２１，２８：スペーサの水栓接続部
２９：切り割られたスペーサの開口部
３３：壁孔の内周面
４１：傾斜突条部（外径調整部）
４２：螺旋突条部（外径調整部）
【図１】
2014190483.tif 000003
【図２】
2014190483.tif 000004
【図３】
2014190483.tif 000005
【図４】
2014190483.tif 000006
【図５】
2014190483.tif 000007
【図６】
2014190483.tif 000008
【図７】
2014190483.tif 000009
【図８】
2014190483.tif 000010
【図９】
2014190483.tif 000011
【図１０】
2014190483.tif 000012
【図１１】
2014190483.tif 000013
【図１２】
2014190483.tif 000014
【図１３】
2014190483.tif 000015
【図１４】
2014190483.tif 000016
【図１５】
2014190483.tif 000017
【図１６】
2014190483.tif 000018
【図１７】
2014190483.tif 000019